(57)【特許請求の範囲】
【請求項１】
少なくとも１つのバルブ部材（１２）を担持し且つそれぞれ励起状態と停止状態とに対応する第一位置と第二位置との間で可動なプランジャー・コア（８）を有する電磁石（６）が内部に設けられている本体（１）と、手動制御の押しボタン（１５）とを備え、前記押しボタン（１５）のカム形状の端部（２０）がプランジャー・コアを前記プランジャー・コアの第一位置にさせるように前記プランジャー・コアと協働する作動位置と、前記押しボタンが弾性的に戻り、前記押しボタンのカム形状の端部が前記プランジャー・コアから離間される非作動位置との間で滑動すると共に、前記作動位置にある間は、前記本体に取り付けられており且つ前記押しボタンが弾性的に戻るのを妨げるアバットメント要素（２８）と前記押しボタンが協働するロック位置と、前記押しボタンが前記アバットメント要素から外された非ロック位置との間で回転するように、前記押しボタンが前記プランジャー・コアに対して横断方向に前記本体に装着されている電磁弁であって、
前記アバットメント要素は、前記アバットメント要素を前記本体（１）に解放可能に固定する固定手段（３１）を含むことを特徴とする電磁弁。
【請求項２】
前記アバットメント要素（２８）が、前記本体（１）の主部分（２）に取り付けられたカバー（３）に固定される請求項１に記載の電磁弁。
【請求項３】
前記解放可能な固定手段は、解放可能なタブ（３１）を備えることを特徴とする請求項１又は２に記載の電磁弁。
【請求項４】
前記解放可能なタブ（３１）は、捻ることにより解放できるように構成されており、前記アバットメント要素は、ねじ回し型の器具と協働するための窪み（３２）を備えることを特徴とする請求項３に記載の電磁弁。
【請求項５】
前記アバットメント要素（２８）は、前記本体（１）のカバー（３）と一体に形成される請求項２に記載の電磁弁。
【請求項６】
前記押しボタン（１５）は、前記本体（１）と協働し且つ前記押しボタンを非作動位置に戻すように横方向に延びる弾性的に戻るブレード（２６）を有する請求項１から請求項５の何れか一項に記載の電磁弁。
【発明の詳細な説明】
【０００１】
【発明の属する技術分野】
本発明は、空気式装置における方向制御弁の制御等を行う電気制御式空気圧弁である電磁弁（ソレノイド・バルブ）に関する。
【０００２】
【従来の技術】
通常、従来型式の電磁弁は、最も単純な構造の場合、ソレノイド、すなわち、バルブ部材がバルブ部材の弁座から離間され且つ２つのダクトを接続させる電磁石が励起状態（基底状態よりエネルギーが高い状態）にある第一位置と、バルブ部材がバルブ部材の弁座に対して押し付けられ且つ互いにダクトを分離する電磁石が非励起状態にある第二位置との間でバルブ部材を移動させるように、バルブ部材を担持するプランジャー・コア（プランジャーの芯材）に固定される電磁石を有する本体を備えている。また、バルブの位置に従って第三ダクトと選択的に２個のダクトの一方を接続するように機能させると同時に他方のダクトを接続状態の２個のダクトから分離する、３個のポート（受け口）と２つの位置とを有する他の型式の電磁弁も存在する。
【０００３】
調節作業を行う目的等で、電磁石が励起状態でないときにプランジャー・コア及びその結合バルブ部材を第一位置に移動させることが可能な手動式押しボタンを備えた上述のような電磁弁に固定されることが知られている。
【０００４】
第一の形式の押しボタンは、カム形状の押しボタンの端部がプランジャー・コアと協働し且つこの端部を端部の第一位置に移動させる作動位置と、押しボタンが弾性的に戻り且つカム形状の端部がプランジャー・コアから離間される非作動位置との間で滑動するようにプランジャー・コアに対して横向きに本体に装着される。
【０００５】
差込式である第二の型式の押しボタンでは、押しボタンは、まず、上述の型式の押しボタンのように、作動位置と非作動位置との間で滑動し、次に、作動位置に位置した状態で、押しボタンは、非作動位置に押しボタンを弾性的に戻さないように本体に固定するアバットメント要素（迫台要素）と協働するロック位置と押しボタンがアバットメント要素から外れた非固定位置との間で回転するように本体上に装着される。
【０００６】
第一の型式の押しボタンは、通常、双安定の方向制御バルブに結合するための電磁弁の中で使用されるのに対し、第二の型式の押しボタンは、通常、単安定の方向制御バルブに結合するための電磁弁の中で使用される。さらに、電磁弁のユーザーが使用する器具は、前者又は後者の型式への適性があり、製造品は、可能な限り市場における満足が得られるように、これらの適性に従う必要がある。従って、電磁弁の製造は、バルブの本体構造が他の点は同一であったとしても電磁弁の指定用途に沿う有効な押しボタンを両者とも有することが必要である。これにより、このようなバルブの製造が複雑化し、比較的多額の余分なコストが必要となる。
【０００７】
従って、電磁弁が装着されるバルブの指定用途についての機能に適合する簡単な電磁弁用の単一の手動手段は、現在のところ満足できる方法では解決されていない。
【０００８】
また、機械の調節とメンテナンスとのために手動のアクセスを変更する必要がある。機械が専門家により調節等されるときには、定位置に手動制御してロックすることができると考えられるが、非専門家が機械が正確に作動しない位置に機械を配置することがないように、手動でロックできないようにすることが好ましい。
【０００９】
【発明を解決するための手段】
その結果、本発明は、少なくとも１つのバルブ部材（１２）を担持し且つそれぞれ励起状態と停止状態とに対応する第一位置と第二位置との間で可動なプランジャー・コアを有する電磁石が内部に設けられている本体（１）と、手動制御の押しボタン（１５）とを備え、押しボタンのカム形状の端部がプランジャー・コアをプランジャー・コアの第一位置にさせるようにプランジャー・コアと協働する作動位置と、押しボタンが弾性的に戻り、押しボタンのカム形状の端部がプランジャー・コアから離間される非作動位置との間で滑動すると共に、作動位置にある間は、本体に取り付けられており且つ押しボタンが弾性的に戻るのを妨げるアバットメント要素と押しボタンが協働するロック位置と、押しボタンがアバットメント要素から外された非ロック位置との間で回転するように、押しボタンがプランジャー・コアに対して横断方向に本体に装着されている電磁弁であって、アバットメント要素は、アバットメント要素を前記本体に解放可能に固定する固定手段を備えることを特徴とする電磁弁を提供することにある。
【００１０】
アバットメント要素が定位置にあるときには、押しボタンは、差込式押しボタンのように作動位置にロックされる。そして、電磁弁は、単安定の方向制御バルブに使用され、すなわち特定のユーザーに合うように適合される。アバットメント要素が引っ込められたときには、押しボタンは作動位置にロックすることができず、単なる押しボタンのように作動する。そのうえ電磁弁は、双安定の方向制御バルブに使用され、すなわち、他のユーザーに合うように適合される。このように電磁弁は、定位置に手動制御の押しボタンのためのアバットメント要素を静置するか、アバットメント要素を引っ込めるかによる特に簡単な方法で、制御されるべき方向制御バルブの型式に適合される。さらに、この配列を用いて、電磁弁は、最初の使用段階中、すなわち機械が専門家による初期設定のときにはロック可能であり、専門家でない使用者の機械の通常の作動中等のその後の使用ではロック可能でないように制御することができる。
【００１１】
有利には、アバットメント要素は、外部からアクセス可能である本体の領域で本体に固定される。その後、アバットメント要素は、バルブを分解する必要なく迅速に引っ込められることができる。
【００１２】
特定の実施形態では、解放可能な固定手段は、捻って解放するように構成されることが好ましい解放可能なタブを備え、アバットメント要素は、ねじ回し型の器具と協働するための窪みを有する。その後、アバットメント要素が引っ込められると元に戻すことはできない。さらに、アバットメント要素は、本体と一体に形成されることが可能であり、従って、バルブの構造は簡単になり、製造が容易になる。
【００１３】
本発明の他の特徴と長所とは、本発明の実施形態に特に限定されることなく以下の記載と特許請求の範囲と添付図面とにより理解されるであろう。
【００１４】
【発明の実施の形態】
図面に示す電磁弁は、熱塑性材料から成り、中空の主部分２と主部分２に装着される頂部キャップ３とを有する参照番号１で全体が表された本体を備えている。主部分２は、２つの区画４、５を有する。
【００１５】
第一区画４は、フレームとコイルとヨーク７とを備えた、電磁石すなわち参照番号６で全体が表されたソレノイドを覆うように鋳型している。
【００１６】
公知の方法では、電磁石６は、ヨーク７に隣接する一方の端部９とフレームの外部に延びる反対側の端部１０とを備え、ヨーク７が延びる筒状のハウジングの中に滑動可能な状態に装着され且つフレームの中の開口を貫通して滑動可能な状態に装着されたプランジャー・コア８を有する。バネ１１は、ショルダー１０とフレームとの間のプランジャー・コア８の周りに延び、且つ励起状態でないときにはプランジャー・コア８をヨーク７から離間するように付勢する。電磁石６が励起状態になったときには、それに伴う磁力がバネ１１の作用に対抗し、プランジャー・コア８の端部９はヨーク７の端部壁にエア・ギャップがない状態で当接する。
【００１７】
プランジャー・コア８の端部１０は、電磁弁の空気圧チャンバーを含む主部分２の第二区画５の内部を貫通する。端部１０は、バルブのバルブ部材１２を構成する弾性材料から成る中心部分を有する。上述のチャンバーを構成する凹部分は、プレスばめで挿入され、第一に弁座１３を形成する上述の部材の軸線方向の面において開口し且つ第二に区画５に形成される図示されていないダクトを経て区画５の外部に開口する軸方向のダクト１４が与えられた機能的部材を受承する。
【００１８】
励起状態でないときには、バルブ部材１２は、弁座１３に当接し、これによりダクト１４は区画５の凹部分の中に開口する。電磁石が励起状態にあるときには、バルブ部材１２は、弁座１３から分離され、ダクト１４を、主部分２の中に設けられ且つ区画５の凹部分の中に開口する図示していない少なくとも１つの他のダクトに連絡させる。バルブ部材の数と空気圧チャンバーの中に開口するダクトの数とは、バルブの使用目的による。とりわけ、バルブは、プランジャー・コアに連結される器具の中で結合される２つのバルブ部材を有する場合がある。
【００１９】
また、バルブは、プランジャー・コア８に対して横方向に延び且つ主部分２とカバー３との中に軸方向に整列して形成される２つのハウジング１８、１９の中に受承された２つの両側端部１６、１７を有し、形状がほぼ筒状である、参照番号１５で全体が与えられた手動制御式押しボタンを有する。
【００２０】
端部１６は、端末部分２０をハウジング２１の中で角度を持って移動させるように、この場合には断面が扇形であるハウジング２１の中に延びる扇形状の錐である端末部分２０を有する。ハウジング２１は、ハウジング１８の端部壁から延び、区画５で凹部分の中に開口する。ハウジング１８は、キャップ３の直下に延びる主部分２の外表面２２を経てハウジング２１から離れて開口する。
【００２１】
端部１７は、駆動可能なように窪み２４を形成する溝により分離され且つハウジング１９の端部壁の中に形成された開口２５を経てアクセス可能である、２つの部分２３．１、２３．２とを形成するように段を付けた端末表面を有する。
【００２２】
ブレードバネ２６は、押しボタン１５に対して横方向に延び、その結果、ブレード・バネの自由端部２７は外表面２２に当接する。この場合、ブレード・バネ２６は、押しボタンと一体に形成される。
【００２３】
押しボタン１５は、以下に説明する作動位置と非作動位置との間で滑動するように、ハウジング１８、１９に取付けられる。
【００２４】
図１に示す非作動位置では、ブレード・バネ２６は押しボタン１５を押し返し、その結果、端部１７の端末表面の部分２３．１は、ハウジング１９の端部壁に押し付けられ、部分２３．１に対して突出する部分２３．２は開口２５の中に延びる。これにより端部１６の端末部分２０は、プランジャー・コア８から離間するように、ハウジング２１の中に後退される。
【００２５】
作動位置では、押しボタン１５は、プランジャー・コア８の端部１０を退去させるカムを形成するように、端部１６の端末部分２０が区画５の中に突出し且つ端部１０と協働するようにブレード・バネ２６を変形させて押し込み、端部９をヨーク７の端部壁に押し付ける。
【００２６】
バルブは、端部１７に沿って形成され且つ押しボタン１５の端部１７の端末表面の部分２３．２の中で開口する、開口２５の中に突出し溝２９の中に受承されるべきアバットメント要素２８を有する。アバットメント要素２８は、ここでは捻りることにより解放可能なタブ３１である取外し可能な固定手段によりキャップ３に連結され、このアバットメント要素は、ねじ回しと適当に協働する窪み３２が設けられる。これにより、アバットメント要素２８とキャップ２とを単一部材として作られることが可能であり、従ってバルブの製造が容易になると言う特定の長所を有する。また、アバットメント要素２８を取外し且つ定位置に後退させることが可能な手段、例えば、キャップの中のテーパが付けられた孔に係合するねじのアバットメント要素に装着することによって、アバットメント要素２８を固定することが可能である。
【００２７】
アバットメント要素２８は、押しボタン１５が非作動位置と作動位置との間で滑動するような押しボタン１５用の回転式アバットメントを形成する。
【００２８】
押しボタン１５が完全に作動位置に押し込まれたときに、アバットメント要素２８は溝２９から延び、溝２９の開口に面する端部１７の端末表面の部分２３．２を覆って滑動可能な状態で延びる。そして、押しボタン１５は、押しボタンを押す力が無くなると直ちに、ブレード・バネ２６により押しボタンは非作動位置に戻されることが可能な非ロック状態の作動位置にある。
【００２９】
非ロック状態の作動位置では、押しボタン１５は、アバットメント要素２８が溝２９の開口は妨げとならないで部分２３．２が妨げとなって延びるロック状態の作動位置の方向に回転可能である。その後、アバットメント要素２８は、ブレード・バネ２６により作用するような、押しボタン１５を非作動位置に押し戻す力の妨げとなる。
【００３０】
作動位置と非作動位置との間で押しボタンを滑動させ、ロック位置と非ロック位置との間で押しボタンを回転させることは、キャップ３の開口２５を貫通する端部１７の窪み２４と協働するねじ回しを使用して押しボタン１５を駆動させることにより簡単に実行可能であることが理解されるであろう。また、ハウジング１８の中で端部１６が滑動し回転しないようにＯ−リング３０が端部１６の周りで延びていることも理解されるであろう。
【００３１】
本明細書に記載されるような電磁弁は、単安定の方向制御バルブ等を用いる第一の使用目的に適合される。
【００３２】
電磁弁を双安定のバルブ、より一般的には異なる使用目的又は異なる使用者に適合させるためには、タブ３１を解放するように捻り、アバットメント要素２８を外すようにねじ回しを使用すれば良い。その後に押しボタン１５は、作動位置にロックされない。
【００３３】
本来、本発明は、記載された実施形態に限定されず、特許請求の範囲により画定される本発明の範囲を超えない変形例の利用が可能である。
【００３４】
特に、アバットメント要素は本体の外側からアクセス可能であるとして記載されるが、アバットメント要素は、外表面２２上又はフラップ（垂下物）により隠された本体のハウジングの中に配置可能である。また、アバットメント要素は、本体又は本体の一部と一体に作られる代りに本体に固定可能である。
【図面の簡単な説明】
【図１】本発明の電磁弁の縦方向の部分断面図である。
【図２】本発明の電磁弁の部分拡大断面図である。
【符号の説明】
１…本体
２…主部分
３…カバー
４…第一区画
５…第二区画
６…電磁石
７…ヨーク
８…プランジャー・コア
１１…バネ
１２…バルブ部材
１３…弁座
１４…ダクト
１５…押しボタン
２０…端末部分
２４…窪み
２５…開口
２６…ブレード・バネ
２８…アバットメント要素
３０…リング
３１…タブ
３２…窪み
【図１】
0004763125.tif 000002
【図２】
0004763125.tif 000003